(57)【要約】【課題】機器筐体に設けられた収納部に対して棒型電子機器を収納して端子同士を接続する構成であっても棒型電子機器や機器筐体側の端子の品質低下や破損を防止することができる収納構造及び該収納構造を備えた電子機器を提供する。【解決手段】収納構造１０は、側面に端子３０が設けられたペン型入力機器１４を収納する収納部１８を有し、収納部１８は、ペン型入力機器１４を挿入して収納する収納穴３２と、収納穴３２の側部から該収納穴３２に挿入されたペン型入力機器１４に向かって進退可能に設けられると共に、ペン型入力機器１４が収納穴３２の所定位置まで挿入されていない状態ではペン型入力機器１４の側面から離間した位置に配置される通電端子３１と、ペン型入力機器１４が収納穴３２の所定位置より奥まで挿入された場合に、通電端子３１をペン型入力機器１４の側面に向かって移動させて端子３０に接続させるリンク機構３４とを備える。【選択図】図２
2016126412.tif 000002
【特許請求の範囲】
【請求項１】
側面に端子が設けられた棒型電子機器を機器筐体に設けられた収納部に収納する収納構造であって、
前記収納部は、前記棒型電子機器を挿入して収納する収納穴と、
前記収納穴の側部から該収納穴に挿入された棒型電子機器に向かって進退可能に設けられると共に、前記棒型電子機器が収納穴の所定位置まで挿入されていない状態では該棒型電子機器の側面から離間した位置に配置される通電端子と、
前記棒型電子機器が収納穴の所定位置より奥まで挿入された場合に、前記通電端子を棒型電子機器の側面に向かって移動させて前記端子に接続させるリンク機構と、
を備えることを特徴とする収納構造。
【請求項２】
請求項１記載の収納構造において、
前記リンク機構は、前記棒型電子機器が収納穴の所定位置より奥まで挿入された場合に該棒型電子機器によって押圧されることで、該棒型電子機器の軸方向に移動するスライド部材と、
前記通電端子を支持すると共に、前記スライド部材の移動に連動して前記棒型電子機器の側面に向かって進退移動することで、前記通電端子を前記棒型電子機器の側面に向かって進退させる可動部材とを有することを特徴とする収納構造。
【請求項３】
請求項２記載の収納構造において、
前記可動部材は、前記スライド部材に対して相対移動可能な状態で連結されており、前記収納穴の内部を挿入方向に移動する棒型電子機器及び該棒型電子機器に押圧されて移動する前記スライド部材と共に、前記棒型電子機器の挿入方向に沿って移動しながら該棒型電子機器の側面に向かって移動し、前記通電端子を前記端子に向かって移動させることを特徴とする収納構造。
【請求項４】
請求項３記載の収納構造において、
前記スライド部材を前記収納穴に対する前記棒型電子機器の挿入方向とは反対側の抜去方向に向かって付勢する弾性部材を有し、
前記収納穴から棒型電子機器を抜去する際には、該収納穴を抜去方向に移動する棒型電子機器と共に前記弾性部材の付勢力によって前記スライド部材が抜去方向に移動することで、前記可動部材が前記棒型電子機器の抜去方向に沿って移動しながら該棒型電子機器の側面から退避する方向に向かって移動し、前記通電端子を前記端子から離間させることを特徴とする収納構造。
【請求項５】
請求項２〜４のいずれか１項に記載の収納構造において、
前記可動部材は、前記スライド部材に対して回動可能に連結されており、前記スライド部材の移動に連動して回動することで前記通電端子を前記棒型電子機器の側面に向かって進退させることを特徴とする収納構造。
【請求項６】
請求項２〜４のいずれか１項に記載の収納構造において、
前記可動部材は、前記スライド部材に対して該スライド部材の移動方向と直交する方向に移動可能に連結されており、前記スライド部材の移動に連動して前記スライド部材の移動方向と直交する方向に移動することで前記通電端子を前記棒型電子機器の側面に向かって進退させることを特徴とする収納構造。
【請求項７】
請求項５又は６記載の収納構造において、
前記可動部材は、前記スライド部材の移動方向に対して傾斜するように設けられ、前記機器筐体から突出したピンが摺動可能に挿入される孔部を有することを特徴とする収納構造。
【請求項８】
請求項２〜７のいずれか１項に記載の収納構造において、
前記棒型電子機器は、先端にテーパ部を有するペン型形状であり、
前記スライド部材は、前記棒型電子機器のテーパ部によって押圧されて移動することを特徴とする収納構造。
【請求項９】
請求項１〜８のいずれか１項に記載の収納構造において、
前記棒型電子機器は、充電式の二次電池を内蔵しており、前記端子に前記通電端子が接続されることで前記二次電池の充電が行われることを特徴とする収納構造。
【請求項１０】
充電式の二次電池を内蔵し、側面に前記二次電池の充電用の端子が設けられたペン型入力機器の収納部を機器筐体に有し、前記ペン型入力機器によって前記機器筐体に設けられたディスプレイをタッチ操作可能な電子機器であって、
前記収納部は、前記ペン型入力機器を挿入して収納する収納穴と、
前記収納穴の側部から該収納穴に挿入されたペン型入力機器に向かって進退可能に設けられると共に、前記ペン型入力機器が収納穴の所定位置まで挿入されていない状態では該ペン型入力機器の側面から離間した位置に配置され、前記二次電池の充電用の電力を供給するための通電端子と、
前記ペン型入力機器が収納穴の所定位置より奥まで挿入された場合に、前記通電端子をペン型入力機器の側面に向かって移動させて前記端子に接続させるリンク機構と、
を備えることを特徴とする電子機器。 
【発明の詳細な説明】
【技術分野】
【０００１】
本発明は、機器筐体に設けられた収納部への棒型電子機器の収納構造及び該収納構造を備えた電子機器に関する。
【背景技術】
【０００２】
ノートブック型パーソナルコンピュータ（ノート型ＰＣ）、タブレット型パーソナルコンピュータ（タブレット型ＰＣ）、スマートフォン等の携帯型の電子機器（携帯情報端末）では、入力デバイスとしてタッチ操作用のペン型入力機器を用いることがある。
【０００３】
例えば特許文献１には、タブレット型ＰＣの機器筐体にペン型入力機器（スタイラス）を挿入して収納する細径長尺な穴形状の収納部を備えた構成が開示されている。このペン型入力機器は充電式の二次電池を内蔵した構成であり、機器筐体の収納部には収納したペン型入力機器の側面に設けられた充電端子に接続されることで二次電池の充電用の電力を供給するスイッチが設けられている。この構成によれば、ペン型入力機器を収納部に収納するだけで充電を行うことができ、ペン型入力機器の電池切れを防止することができる。
【先行技術文献】
【特許文献】
【０００４】
【特許文献１】特開平６−１１０５９５号公報
【発明の概要】
【発明が解決しようとする課題】
【０００５】
上記特許文献１記載の構成では、ペン型入力機器の充電端子に接続されるスイッチが収納部の内面から突出した板ばね状の部材であることで、収納部に収納されたペン型入力機器の充電端子にスイッチを確実に接触させることができる。
【０００６】
ところが、特許文献１の構成では、収納部にペン型入力機器を収納する際、収納部の穴の内側に突出しているスイッチに対して挿入動作中のペン型入力機器の側面が擦れるため、その外面に傷が付く。特に、基端側に充電端子を設けたペン型入力機器では、収納部に挿入する際にその側面の全長の大部分がスイッチと摺動するため、軸方向に延びた引っ掻き傷のような擦り跡を生じてしまう。また、機器本体側のスイッチはペン型入力機器の挿抜のたびに押圧力を受けて負荷がかかるため、経年的な劣化を生じ易く、充電端子に対して確実に接続することができなくなる懸念もある。
【０００７】
そして、このような問題は、ペン型入力機器に限らず、例えば拡張用のメモリ機器やバッテリ機器等、機器筐体の収納部に収納された状態で通電される各種の棒型電子機器においても同様に発生する問題である。
【０００８】
本発明は、上記従来技術の課題を考慮してなされたものであり、機器筐体に設けられた収納部に対して棒型電子機器を収納して端子同士を接続する構成であっても棒型電子機器や機器筐体側の端子の品質低下や破損を防止することができる収納構造及び該収納構造を備えた電子機器を提供することを目的とする。
【課題を解決するための手段】
【０００９】
本発明に係る収納構造は、側面に端子が設けられた棒型電子機器を機器筐体に設けられた収納部に収納する収納構造であって、前記収納部は、前記棒型電子機器を挿入して収納する収納穴と、前記収納穴の側部から該収納穴に挿入された棒型電子機器に向かって進退可能に設けられると共に、前記棒型電子機器が収納穴の所定位置まで挿入されていない状態では該棒型電子機器の側面から離間した位置に配置される通電端子と、前記棒型電子機器が収納穴の所定位置より奥まで挿入された場合に、前記通電端子を棒型電子機器の側面に向かって移動させて前記端子に接続させるリンク機構とを備えることを特徴とする。
【００１０】
また、本発明に係る電子機器は、充電式の二次電池を内蔵し、側面に前記二次電池の充電用の端子が設けられたペン型入力機器の収納部を機器筐体に有し、前記ペン型入力機器によって前記機器筐体に設けられたディスプレイをタッチ操作可能な電子機器であって、前記収納部は、前記ペン型入力機器を挿入して収納する収納穴と、前記収納穴の側部から該収納穴に挿入されたペン型入力機器に向かって進退可能に設けられると共に、前記ペン型入力機器が収納穴の所定位置まで挿入されていない状態では該ペン型入力機器の側面から離間した位置に配置され、前記二次電池の充電用の電力を供給するための通電端子と、前記ペン型入力機器が収納穴の所定位置より奥まで挿入された場合に、前記通電端子をペン型入力機器の側面に向かって移動させて前記端子に接続させるリンク機構とを備えることを特徴とする。
【００１１】
このような構成によれば、棒型電子機器（ペン型入力機器）が収納穴の所定位置より奥まで挿入される前の状態では、機器筐体側の通電端子が収納穴の側部から退避して棒型電子機器の側面から離間した位置に配置されているため、収納部に挿入される棒型電子機器に通電端子が干渉しない。このため、棒型電子機器の側面に引っ掻き傷等を生じることがなく、また通電端子に継続的な摺動負荷が生じることもないため、棒型電子機器や通電端子の品質低下や破損を防止できる。しかも、棒型電子機器が収納穴の所定位置より奥まで挿入されると、これと連動するリンク機構によって通電端子が棒型電子機器の側面に向かって移動し、端子に接続される。このため、接続された通電端子及び端子を介して機器筐体側から棒型電子機器に対して充電用の電力等を確実に供給することができる。
【００１２】
前記リンク機構は、前記棒型電子機器が収納穴の所定位置より奥まで挿入された場合に該棒型電子機器によって押圧されることで、該棒型電子機器の軸方向に移動するスライド部材と、前記通電端子を支持すると共に、前記スライド部材の移動に連動して前記棒型電子機器の側面に向かって進退移動することで、前記通電端子を前記棒型電子機器の側面に向かって進退させる可動部材とを有する構成であってもよい。これにより、棒型電子機器の挿入動作に対し通電端子の進退を簡素な構成で連動させることができる。
【００１３】
前記可動部材は、前記スライド部材に対して相対移動可能な状態で連結されており、前記収納穴の内部を挿入方向に移動する棒型電子機器及び該棒型電子機器に押圧されて移動する前記スライド部材と共に、前記棒型電子機器の挿入方向に沿って移動しながら該棒型電子機器の側面に向かって移動し、前記通電端子を前記端子に向かって移動させる構成であってもよい。そうすると、棒型電子機器が収納穴の所定位置より奥まで挿入される挿入動作と連動し、通電端子が棒型電子機器の移動に追従するように挿入方向に移動しつつ棒型電子機器の側面に向かって進動することで端子に接続される。これにより、挿入時に通電端子によって棒型電子機器が擦れられることをより確実に防止することができる。
【００１４】
前記スライド部材を前記収納穴に対する前記棒型電子機器の挿入方向とは反対側の抜去方向に向かって付勢する弾性部材を有し、前記収納穴から棒型電子機器を抜去する際には、該収納穴を抜去方向に移動する棒型電子機器と共に前記弾性部材の付勢力によって前記スライド部材が抜去方向に移動することで、前記可動部材が前記棒型電子機器の抜去方向に沿って移動しながら該棒型電子機器の側面から退避する方向に向かって移動し、前記通電端子を前記端子から離間させる構成であってもよい。これにより、棒型電子機器の収納部からの抜去時には、棒型電子機器の抜去方向への移動に連動して通電端子も同方向へと移動しつつ端子から退避するため、抜去時に通電端子が端子に引っ掛かり棒型電子機器が抜け難くなることがない。
【００１５】
前記可動部材は、前記スライド部材に対して回動可能に連結されており、前記スライド部材の移動に連動して回動することで前記通電端子を前記棒型電子機器の側面に向かって進退させる構成としてもよい。
【００１６】
前記可動部材は、前記スライド部材に対して該スライド部材の移動方向と直交する方向に移動可能に連結されており、前記スライド部材の移動に連動して前記スライド部材の移動方向と直交する方向に移動することで前記通電端子を前記棒型電子機器の側面に向かって進退させる構成としてもよい。
【００１７】
前記可動部材は、前記スライド部材の移動方向に対して傾斜するように設けられ、前記機器筐体から突出したピンが摺動可能に挿入される孔部を有すると、簡素な構成で可動部材を棒型電子機器に対して確実に進退させることができる。
【００１８】
前記棒型電子機器は、先端にテーパ部を有するペン型形状であり、前記スライド部材は、前記棒型電子機器のテーパ部によって押圧されて移動する構成であってもよい。
【００１９】
前記棒型電子機器は、充電式の二次電池を内蔵しており、前記端子に前記通電端子が接続されることで前記二次電池の充電が行われる構成であると、棒型電子機器の電池切れを防止できる。
【発明の効果】
【００２０】
本発明によれば、ペン型入力機器等の棒型電子機器の側面に収納部に設けられた通電端子による引っ掻き傷等が生じることを防止でき、また通電端子に継続的な摺動負荷が生じることも防止できるため、棒型電子機器や通電端子の品質低下や破損を防止できる。しかも、棒型電子機器が収納穴の奥まで挿入された際には通電端子が端子に接続されるため、接続された通電端子及び端子を介して機器筐体側から棒型電子機器に対して充電用の電力等を確実に供給することができる。
【図面の簡単な説明】
【００２１】
【図１】図１は、本発明の第１の実施形態に係る収納構造を備えた電子機器の構成を示す斜視図である。
【図２】図２は、収納部へのペンの収納動作を説明するために機器筐体の収納部付近の内部構造を示した底面図である。
【図３】図３は、図２に示す状態からペンを収納部内の押圧開始位置まで押し込んだ状態を示す底面図である。
【図４】図４は、図３に示す状態からペンをさらに奥まで押し込み、収納部にペンを完全に収納した状態を示す底面図である。
【図５】図５は、変形例に係るスライド部材を備えた収納部の構造を示した底面図である。
【図６】図６は、別の変形例に係るスライド部材を備えた収納部の構造を示した底面図である。
【図７】図７は、本発明の第２の実施形態に係る収納構造でのペンの収納動作を説明するために機器筐体の収納部付近の内部構造を示した底面斜視図である。
【図８】図８は、図７に示す状態からペンを収納部内の押圧開始位置まで押し込んだ状態を示す底面斜視図である。
【図９】図９は、図８に示す状態からペンをさらに奥まで押し込んだ状態を示す底面斜視図である。
【図１０】図１０は、図９に示す状態からペンをさらに奥まで押し込み、収納部にペンを完全に収納した状態を示す底面斜視図である。
【発明を実施するための形態】
【００２２】
以下、本発明に係る収納構造について、この構造を適用した電子機器を例示して好適な実施の形態を挙げ、添付の図面を参照しながら詳細に説明する。
【００２３】
図１は、本発明の第１の実施形態に係る収納構造１０を備えた電子機器１２の構成を示す斜視図である。収納構造１０は、スタイラスと呼ばれるペン型入力機器（棒型電子機器）１４（以下、単に「ペン１４」ともいう）を入力デバイスとして利用可能な電子機器１２に設けられ、その機器筐体１６の一側面にペン１４を収納・保持する収納部１８を備える。本実施形態では、収納構造１０をタブレット型ＰＣである電子機器１２に適用した構成を例示するが、本発明はタブレット型ＰＣ以外、例えばノート型ＰＣ、携帯電話機、スマートフォン、携帯ゲーム機又は電子手帳等、各種携帯情報端末等の電子機器に対して好適に適用できる。
【００２４】
収納構造１０の適用対象の一例としての電子機器１２は、タッチパネル式の液晶表示部からなるディスプレイ１６ａを機器筐体１６の表面（上面）に有する。電子機器１２は、その内部に基板、演算装置及びメモリ等の各種電子部品（図示せず）を収納している。
【００２５】
次に、本実施形態に係る収納構造１０を構成するペン１４及び収納部１８について、順に説明する。
【００２６】
図２は、収納部１８へのペン１４の収納動作を説明するために機器筐体１６の収納部１８付近の内部構造を示した底面図であり、収納部１８へのペン１４の挿入を開始した直後の状態を示している。また、図３は、図２に示す状態からペン１４を収納部１８内の押圧開始位置（所定位置）まで押し込んだ状態を示す底面図であり、図４は、図３に示す状態からペン１４をさらに奥まで押し込み、収納部１８にペン１４を完全に収納した状態を示す底面図である。
【００２７】
図１及び図２に示すように、ペン１４は、長尺且つ細径な円柱棒形状であって、人手によって把持されて電子機器１２の入力デバイスとして使用される電源駆動式のスタイラスである。ペン１４は、先細りテーパ形状の入力部（テーパ部）２０を先端に設けた円柱形状の軸部２２と、軸部２２の基端側外周面の一部から外径方向に突出した鋸形状の突起部２４とを備える。
【００２８】
入力部２０は、ディスプレイ１６ａの画面上をタッチして所定の入力操作を行うためのものであり、その先端のペン先２０ａでディスプレイ１６ａをタッチ操作することで所定の入力信号を発生する。入力部２０と軸部２２との境界部分には、その外周面を凹ませた環状溝部２５が形成されている。環状溝部２５は、ペン１４が収納部１８内に挿入された際、収納部１８内に設けられた一対の弾性凸部２６ａ，２６ａが係合することで、ペン１４を収納部１８内で抜け止めすると共に、収納時には操作感やクリック音を生じさせるものである。
【００２９】
軸部２２は、その内部にバッテリ装置２８を内蔵している。バッテリ装置２８は、当該ペン１４の電源となる充電式の二次電池である。軸部２２の基端側側面には、図示しない配線によってバッテリ装置２８と電気的に接続された一対の端子（充電端子）３０，３０が露出している。ペン１４が収納部１８に収納された際、一対の端子３０，３０には収納部１８側に設けられた一対の通電端子３１，３１が接続される。
【００３０】
突起部２４は、軸部２２の外周面から突出した薄い板片であり、その外端面には鋸状の段部が形成されている。突起部２４は、収納部１８に対するペン１４の回転方向での収納姿勢を規定すると共に、収納部１８に収納されたペン１４を引き抜く際に指先や爪の引っ掛けとなる部分である。
【００３１】
図１及び図２に示すように、収納部１８は、機器筐体１６の後端角部の近傍に開口形成されている。収納部１８は、ペン１４を挿入して収納する収納穴３２と、収納穴３２の側部（内面）から該収納穴３２に挿入されたペン１４に向かって進退可能に設けられた一対の通電端子３１，３１と、収納穴３２へのペン１４の挿入動作と連動して通電端子３１を進退させるリンク機構３４とを備える。以下、収納部１８に対するペン１４の収納方向（図２中で右側）を挿入方向（先端側）、収納部１８からのペン１４の取出し方向（図２中で左側）を抜去方向（基端側）と呼んで説明する。
【００３２】
収納穴３２は、ペン１４を長手方向に収納可能な長さを有して機器筐体１６の外面から内方へと左右方向に延びた円筒形状の長穴であり、挿入口３２ａによって機器筐体１６の外面に開口している。挿入口３２ａは、収納穴３２に対するペン１４の入口である。挿入口３２ａの側部には、ペン１４の突起部２４が収納配置される切欠部３２ｂが収納穴３２と連通するように形成されている。従って、収納穴３２にペン１４が収納されると、軸部２２の基端面と突起部２４の外端面（段部）とが、機器筐体１６の外面と面一又は僅かに突出若しくは埋没した状態となる（図４参照）。また、ペン１４を収納穴３２から抜去する際には突起部２４の外端面に指先を引っ掛けて容易に引き抜くことができる。
【００３３】
リンク機構３４は、図２〜図４に示すように、収納穴３２の側部に沿って延在する長尺プレート状のスライド部材３６と、スライド部材３６に対して相対移動可能な状態で連結された可動部材３８とを備える。
【００３４】
スライド部材３６は、ペン１４の挿入方向及び抜去方向（挿抜方向）に沿って移動可能な状態で機器筐体１６に支持されている。スライド部材３６は、収納穴３２の側部に沿って延びた長尺プレート状のベース部４０と、ベース部４０の先端から収納穴３２に向かって直交するように突出した受け部４１とを有する。
【００３５】
ベース部４０は、その長手方向に並んだ５個の長孔４０ａ，４０ｂ，４０ｃ，４０ｄ，４０ｅを有する。各長孔４０ａ〜４０ｅは、当該スライド部材３６のスライド方向（ペン１４の挿抜方向）に沿って延びた長孔である。
【００３６】
最も基端側の長孔４０ａは可動部材３８と重なる位置に設けられており、機器筐体１６から上下方向に突出した制御ピン（ピン）４２が長手方向に摺動可能に挿入される。基端側から３個目及び４個目の長孔４０ｃ，４０ｄには、機器筐体１６から上下方向に突出したガイドピン４３がそれぞれ長手方向に摺動可能に挿入される。基端側から２個目の長孔４０ｂ及び最も先端側の長孔４０ｅには、機器筐体１６から上下方向に突出したフック状のガイド片４４がそれぞれ長手方向に摺動可能に挿入されると共に、長孔４０ｂ，４０ｅの一縁部の上下面がガイド片４４によって摺動可能に保持される。
【００３７】
ベース部４０の長手方向略中央の凹状部分には、コイルばね（弾性部材）４５が配設されている。コイルばね４５は、一端がベース部４０に固定され、他端が機器筐体１６に固定されることにより、ベース部４０（スライド部材３６）をペン１４の抜去方向に常時付勢する。
【００３８】
受け部４１は、ベース部４０から直交することでペン１４の挿入方向と直交するように収納穴３２を跨いでいる。ベース部４０の基端側（ペン１４の先端と対向する側）には、ペン先２０ａを挿入可能且つペン先２０ａの基端部（入力部２０の先端面）を挿入不能なペン先保持孔４１ａが開口形成されている（図３及び図４参照）。
【００３９】
受け部４１にはペン保持部材４６が重ねて固定されている。ペン保持部材４６は、受け部４１に連結固定される取付部４７と、取付部４７の基端面両端側から抜去方向に突出した一対の板ばね２６，２６を有する。
【００４０】
各板ばね２６は、収納穴３２の内面に押し付けられる方向、つまり互いに離間する方向に付勢されている。各板ばね２６の先端付近には、収納穴３２の内側に向かって突出した弾性凸部２６ａが形成されている。弾性凸部２６ａは、図２及び図３に示すようにペン１４の収納部１８への収納が完了していない状態では収納穴３２の内面を凹ませた逃げ部３２ｃに収容され、収納穴３２の内面から退避した位置にある。一方、図４に示すようにペン１４が収納部１８に完全に収納された状態では逃げ部３２ｃに設けた押圧台３２ｄによって押圧されて板ばね２６が弾性変形することで、弾性凸部２６ａはペン１４の環状溝部２５に係合する。
【００４１】
可動部材３８は、平面視略Ｌ字状のプレートに通電端子３１を設けた基板３９を積層固定した構成である。可動部材３８は、その先端側がスライド部材３６のベース部４０の基端側に設けられた回動軸４０ｆに軸支されることで、スライド部材３６に対して基端側が振り子状に回動可能な状態で支持されている。可動部材３８は、図２及び図３に示すようにペン１４の収納部１８への収納が完了していない状態では、ベース部４０の長手方向に対して傾斜してペン１４から離間した退避位置にあり、通電端子３１が収納穴３２の内面より没した位置にある。可動部材３８の基端には、ベース部４０の基端に設けられたガイド爪部４０ｇに摺動可能にガイドされた突片３８ａが突設されている。
【００４２】
従って、可動部材３８は、スライド部材３６のペン１４の挿抜方向へのスライド移動に伴って移動しつつ、スライド部材３６に対して相対的に回動することができる。また、この回動動作時、ガイド爪部４０ｇに突片３８ａがガイドされることでそのがたつきが防止される。
【００４３】
可動部材３８に設けられた基板３９は、ケーブル４８を介して機器筐体１６に内蔵されたメインバッテリ装置４９と接続されている（図１参照）。これにより、ペン１４が収納部１８に収納され、通電端子３１がペン１４の端子３０に接続されることで、機器筐体１６側のメインバッテリ装置４９からペン１４側のバッテリ装置２８に対し、充電用の電力を供給することができる。
【００４４】
可動部材３８には、スライド部材３６の移動方向に対して傾斜するように設けられた制御孔（孔部）５０が形成されている。制御孔５０には、ベース部４０の長孔４０ａを挿通した制御ピン４２が摺動可能に挿入される。
【００４５】
制御孔５０は、図２及び図３に示すようにペン１４の収納部１８への収納が完了していない状態でスライド部材３６の移動方向に略沿った姿勢となる両端側の保持孔部５０ａ，５０ｂと、各保持孔部５０ａ，５０ｂの間を連通するようにスライド部材３６の移動方向に傾斜して設けられた傾斜孔部５０ｃとを有する平面視略Ｚ形状である。
【００４６】
次に、収納構造１０の収納部１８に対するペン１４の収納動作について説明する。
【００４７】
ペン１４を収納部１８に収納する際には、図２に示すように入力部２０を先頭とし、突起部２４を切欠部３２ｂに合わせた姿勢でペン１４を挿入口３２ａから収納穴３２内へと挿入する。そして、ペン１４を収納穴３２内に進動させると、いずれペン先２０ａが受け部４１のペン先保持孔４１ａに挿入され、入力部２０の先端が受け部４１に引っ掛かることで図３に示す押圧開始位置（所定位置）、つまりペン１４とスライド部材３６とが当接した状態（当接位置）となる。
【００４８】
この押圧開始位置からペン１４をさらに押し込むと、受け部４１が入力部２０の先端によって挿入方向へと押圧され、スライド部材３６がスライド移動を開始する。そうすると、スライド部材３６がペン１４と共に挿入方向にスライド移動するのに伴いベース部４０に支持された可動部材３８も一体的に移動する。
【００４９】
その際、制御ピン４２は、ベース部４０の長孔４０ａ内を摺動しつつ、可動部材３８の制御孔５０内を摺動する。これにより、図３に示す押圧開始位置では、制御孔５０の先端側の保持孔部５０ａ内に位置していた制御ピン４２は、可動部材３８のスライド移動に伴って傾斜孔部５０ｃを摺動しつつ可動部材３８を押圧し、可動部材３８を回動軸４０ｆを中心として図３中で時計回り方向に回動させる。つまり可動部材３８は、ペン１４の挿入方向への移動に追従してスライド移動しつつ、基端側に設けられた通電端子３１をペン１４の側面に向かって進動させる方向に回動する。
【００５０】
最終的に、図４に示すように、ペン１４が収納穴３２内の奥部に突き当たる収納位置まで押し込まれてペン１４の収納部１８への収納動作が完了すると、制御ピン４２が制御孔５０の基端側の保持孔部５０ｂ内に位置して可動部材３８がベース部４０の長手方向に沿った姿勢となり、通電端子３１がペン１４の端子３０に接続される。従って、収納部１８に収納したペン１４のバッテリ装置２８に対し、電子機器１２のメインバッテリ装置４９からの電力をケーブル４８、通電端子３１及び端子３０を介して供給して充電することができる。
【００５１】
このような収納動作時、ペン保持部材４６もスライド部材３６と連動して動作する。すなわち、図３に示す押圧開始位置からペン１４を押し込むと、ペン保持部材４６はスライド部材３６の受け部４１と一体となって挿入方向にスライド移動する。これにより、ペン保持部材４６の板ばね２６が逃げ部３２ｃ内で移動して押圧台３２ｄに摺接すると板ばね２６が弾性変形する。そして、図４に示すようにペン１４が収納位置まで押し込まれた際には、弾性凸部２６ａがペン１４の環状溝部２５に係合する。これにより、収納部１８に収納されたペン１４の抜け止めがなされ、がたつきも防止される。
【００５２】
一方、収納部１８からペン１４を取出す場合には、指先をペン１４の突起部２４に引っ掛けて抜去方向に引き寄せる。そうすると、ペン１４の抜去方向への移動に応じ、スライド部材３６はコイルばね４５の付勢力によってペン１４に追従するように抜去方向にスライド移動するため、可動部材３８も一体的に移動する。
【００５３】
その結果、図４に示す収納位置から図３に示す押圧開始位置までスライド部材３６及び可動部材３８が移動することで、制御ピン４２が収納動作時とは逆方向に制御孔５０内を移動し、今度は可動部材３８を回動軸４０ｆを中心として図４中で反時計回り方向に回動させる。つまり可動部材３８は、ペン１４の抜去方向への移動に追従してスライド移動しつつ、基端側に設けられた通電端子３１をペン１４の側面から退動させる方向に回動する。同時に、ペン保持部材４６も動作し、板ばね２６が押圧台３２ｄから滑り落ちることで、弾性凸部２６ａのペン１４の環状溝部２５への係合状態が解除される。
【００５４】
そして、ペン１４が図３に示す押圧開始位置まで抜去されると、リンク機構３４を構成するスライド部材３６、可動部材３８及びペン保持部材４６はペン１４の挿入前の状態に復帰する。従って、ペン１４を収納穴３２から完全に引き抜いた後、再び収納穴３２に挿入する際には上記した収納動作と同様な動作が行われることになる。
【００５５】
このように、収納構造１０では、ペン１４が収納穴３２の所定位置（押圧開始位置）より奥まで挿入される前の状態では、通電端子３１が収納穴３２の内面から退避し、ペン１４の側面から離間した位置に配置されている。そして、ペン１４が収納穴３２の押圧開始位置より奥まで挿入される動作にリンク機構３４が連動することで、通電端子３１をペン１４の移動に追従するように移動させつつ、ペン１４の側面に向かって進動させ、最終的に収納位置で端子３０に接続させる。さらに、ペン１４の抜去動作時にも、ペン１４が収納位置から押圧開始位置に移動する間のリンク機構３４の動作によって通電端子３１をペン１４の移動に追従するように移動させつつ、ペン１４の側面から離間させることができる。このため、ペン１４の収納穴３２への挿入時及び抜去時に通電端子３１がペン１４の側面に干渉することが回避され、ペン１４の側面に引っ掻き傷等が生じることがなく、また通電端子３１に継続的な摺動負荷が生じることもない。
【００５６】
なお、図２〜図４では、ペン１４からの押圧力を受けるスライド部材３６の受け部４１をペン１４の入力部２０で押圧する構成を例示したが、受け部４１は挿入方向に移動するペン１４によって押圧可能であればその配置等は適宜変更可能である。
【００５７】
例えば、図５に示す構成例のスライド部材３６は、図２〜図４に示すベース部４０よりも短尺なベース部５２と、ベース部５２の基端側から収納穴３２の反対側へと該収納穴３２の上部又は下部のスペースを介して突出した受け部５４とを有する。受け部５４には、ペン１４の突起部２４が収納される切欠部３２ｂまでペン１４の抜去方向に延びた受け突起５４ａが設けられている。また、ペン保持部材４６は、スライド部材３６とは分離して設けられると共に、ペン先保持孔４１ａを有する。従って、この構成の場合、収納部１８にペン１４を収納する際には、突起部２４によって受け突起５４ａ（受け部５４）が押圧されることでスライド部材３６がスライド移動し、可動部材３８（通電端子３１）をペン１４の側面に対して進退させることができる。
【００５８】
また、例えば、図６に示す構成例のスライド部材３６は、図５に示すスライド部材３６の受け部５４の位置を変更した受け部５６を有する。受け部５６は、ベース部５２の基端側から収納穴３２の挿入口３２ａに向かって突出した構成となっている。また、この構成では、ペン１４の突起部２４を径方向反対側に１枚追加している。従って、この構成の場合にも、収納部１８にペン１４を収納する際には、追加した突起部２４によって受け部５６が押圧されることでスライド部材３６がスライド移動し、可動部材３８（通電端子３１）をペン１４の側面に対して進退させることができる。
【００５９】
図７〜図１０は、本発明の第２の実施形態に係る収納構造１０Ａでのペン１４の収納動作を説明するために機器筐体１６の収納部１８ａ付近の内部構造を示した底面斜視図である。ここで、図７は、収納部１８ａへのペン１４の挿入を開始した直後の状態を示し、図８は、図７に示す状態からペン１４を収納部１８ａ内の押圧開始位置（所定位置）まで押し込んだ状態を示し、図９は、図８に示す状態からペン１４をさらに奥まで押し込んだ状態を示し、図１０は、図９に示す状態からペン１４をさらに奥まで押し込み、収納部１８ａにペン１４を完全に収納した状態を示す。なお、第２の実施形態に係る収納構造１０Ａについて、上記第１の実施形態に係る収納構造１０と同一又は同様な機能及び効果を奏する要素には同一の参照符号を付し、詳細な説明を省略する。  
【００６０】
図７に示すように、収納構造１０Ａは、第１の実施形態に係る収納構造１０の収納部１８のリンク機構３４とは構成が異なるリンク機構６０を有した収納部１８ａを備える。リンク機構６０は、上記したリンク機構３４と同様、収納穴３２へのペン１４の挿入動作と連動して通電端子３１を進退させるものである。リンク機構６０は、図７〜図１０に示すように、収納穴３２の側部に沿って延在する長尺プレート状のスライド部材６２と、スライド部材６２に対して相対移動可能な状態で連結された可動部材６４とを備える。
【００６１】
スライド部材６２は、ペン１４の挿抜方向に沿って移動可能な状態で機器筐体１６に支持されている。スライド部材６２は、収納穴３２の側部に沿って延びた長尺プレート状のベース部６６と、ベース部６６の先端から収納穴３２に向かって直交するように突出した受け部６８とを有する。
【００６２】
ベース部６６は、その長手方向に並んだ３個の長孔４０ａ〜４０ｃを有する。最も基端側の長孔４０ａには制御ピン４２が長手方向に摺動可能に挿入されている。残りの長孔４０ｂ，４０ｃにはガイドピン４３がそれぞれ長手方向に摺動可能に挿入されている。
【００６３】
受け部６８は、ベース部６６から直交することでペン１４の挿入方向と直交するように収納穴３２を跨いでいる。受け部６８には、ペン先２０ａを挿入可能且つペン先２０ａの基端部（入力部２０の先端面）を挿入不能なペン先保持孔４１ａが開口形成されている（図９及び図１０参照）。
【００６４】
収納穴３２の受け部６８の側部となる位置には、収納穴３２の内側に向かって常時付勢された板ばね７０が設けられている。板ばね７０の先端に設けられた弾性凸部２６ａは、ペン１４が収納部１８ａに完全に収納された状態でペン１４の環状溝部２５に係合する。
【００６５】
可動部材６４は、平面視矩形状のプレートに通電端子３１を設けた基板３９を積層固定した構成である。可動部材６４は、その先端縁部がベース部６６に設けられた一対のガイド爪部６６ａ，６６ａによってペン１４の挿入方向と直交する方向に摺動可能にガイドされ、その基端縁部がベース部６６に設けられたガイド爪部６６ｂによってペン１４の挿入方向と直交する方向に摺動可能にガイドされている。これにより、可動部材６４は、スライド部材６２のペン１４の挿抜方向へのスライド移動に伴って移動しつつ、スライド部材６２に対して相対的に移動してペン１４の側面に向かって進退可能である。可動部材６４は、図７及び図８に示すようにペン１４の収納部１８ａへの収納が完了していない状態ではペン１４から離間した退避位置にあり、通電端子３１が収納穴３２の内面より没している。
【００６６】
可動部材６４に設けられた基板３９についても、図２のケーブル４８と同様なケーブル（図示せず）を介して機器筐体１６に内蔵されたメインバッテリ装置４９と接続されている（図１参照）。従って、ペン１４が収納部１８ａに収納され、通電端子３１がペン１４の端子３０に接続されることで、機器筐体１６側のメインバッテリ装置４９からペン１４側のバッテリ装置２８に対し、充電用の電力を供給することができる。
【００６７】
可動部材６４にも、スライド部材６２の移動方向に対して傾斜するように設けられ、ベース部６６の長孔４０ａを挿通した制御ピン４２が摺動可能に挿入される制御孔（孔部）５０が形成されている。
【００６８】
次に、収納構造１０Ａの収納部１８ａに対するペン１４の収納動作について説明する。
【００６９】
ペン１４を収納部１８ａに収納する際には、図７に示すように入力部２０を先頭とし、突起部２４を切欠部３２ｂに合わせた姿勢でペン１４を挿入口３２ａから収納穴３２内へと挿入する。そして、ペン１４を収納穴３２内に進動させると、いずれペン先２０ａが受け部６８のペン先保持孔４１ａに挿入され、入力部２０の先端が受け部６８に引っ掛かることで図８に示す押圧開始位置（所定位置）となる。
【００７０】
この押圧開始位置からペン１４をさらに押し込むと、受け部６８が入力部２０の先端によって挿入方向へと押圧され、スライド部材６２がスライド移動を開始する。そうすると、スライド部材６２がペン１４と共に挿入方向にスライド移動するのに伴いベース部６６に支持された可動部材６４も一体的に移動する。
【００７１】
その際、制御ピン４２は、ベース部６６の長孔４０ａ内を摺動しつつ、図９に示すように可動部材６４の制御孔５０内を摺動する。これにより、図８に示す押圧開始位置では、制御孔５０の先端側の保持孔部５０ａ内に位置していた制御ピン４２は、可動部材６４のスライド移動に伴って傾斜孔部５０ｃを摺動して可動部材６４を押圧し、可動部材６４をガイド爪部６６ａ，６６ｂに沿ってペン１４の側面に向かってスライド移動させる（図９参照）。つまり可動部材６４は、ペン１４の挿入方向への移動に追従してスライド移動しつつ、通電端子３１をペン１４の側面に向かって進動させる方向にもスライド移動する。
【００７２】
最終的に、図１０に示すように、ペン１４が収納穴３２内の奥部に突き当たる収納位置まで押し込まれてペン１４の収納部１８ａへの収納動作が完了すると、制御ピン４２が制御孔５０の基端側の保持孔部５０ｂ内に位置して可動部材６４がペン１４の側面に近接した位置となり、通電端子３１がペン１４の端子３０に接続される。従って、収納部１８ａに収納したペン１４のバッテリ装置２８に対し、電子機器１２のメインバッテリ装置４９からの電力を通電端子３１及び端子３０を介して供給して充電することができる。
【００７３】
このような収納動作時、ペン１４が収納部１８ａに完全に収納された状態で板ばね７０の弾性凸部２６ａがペン１４の環状溝部２５に係合し、収納部１８ａに収納されたペン１４の抜け止めがなされ、がたつきも防止される。なお、この収納構造１０Ａに対して図２〜図４に示すペン保持部材４６を用いてもよく、反対に収納構造１０Ａの板ばね７０を図２〜図４に示す収納構造１０のペン保持部材４６に代えて用いてもよい。
【００７４】
一方、収納部１８ａからペン１４を取出す場合には、指先をペン１４の突起部２４に引っ掛けて抜去方向に引き寄せる。そうすると、ペン１４の抜去方向への移動に応じ、スライド部材６２はコイルばね４５の付勢力によってペン１４に追従するように抜去方向にスライド移動するため、可動部材６４も一体的に移動する。
【００７５】
その結果、図１０に示す収納位置から図８に示す押圧開始位置までスライド部材６２及び可動部材６４が移動することで、制御ピン４２が収納動作時とは逆方向に制御孔５０内を移動し、今度は可動部材６４をペン１４の側面から離間させる方向にスライド移動させる。つまり可動部材６４は、ペン１４の抜去方向への移動に追従してスライド移動しつつ、通電端子３１をペン１４の側面から退動させる方向にもスライド移動する。
【００７６】
そして、ペン１４が図８に示す押圧開始位置まで抜去されると、リンク機構６０を構成するスライド部材６２及び可動部材６４はペン１４の挿入前の状態に復帰する。従って、ペン１４を収納穴３２から完全に引き抜いた後、再び収納穴３２に挿入する際には上記した収納動作と同様な動作が行われることになる。
【００７７】
このように、収納構造１０Ａにおいても、ペン１４が収納穴３２の所定位置（押圧開始位置）より奥まで挿入される前の状態では、通電端子３１が収納穴３２の内面から退避し、ペン１４の側面から離間した位置に配置されている。そして、ペン１４が収納穴３２の押圧開始位置より奥まで挿入される動作にリンク機構６０が連動することで、通電端子３１をペン１４の移動に追従するように移動させつつ、ペン１４の側面に向かって進動させ、最終的に収納位置で端子３０に接続させる。さらに、ペン１４の抜去動作時にも、ペン１４が収納位置から押圧開始位置に移動する間のリンク機構６０の動作によって通電端子３１をペン１４の移動に追従するように移動させつつ、ペン１４の側面から離間させることができる。このため、ペン１４の収納穴３２への挿入時及び抜去時に通電端子３１がペン１４の側面に干渉することが回避され、ペン１４の側面に引っ掻き傷等が生じることがなく、また通電端子３１に継続的な摺動負荷が生じることもない。
【００７８】
なお、この収納構造１０Ａのスライド部材６２についても、図５及び図６に示すような受け部５４，５６を備えたスライド部材３６を用いてもよい。
【００７９】
以上のように、本実施形態に係る収納構造１０（１０Ａ）は、側面に端子３０が設けられた棒型電子機器であるペン型入力機器１４を電子機器１２の機器筐体１６に設けられた収納部１８（１８ａ）に収納する構造である。そして、収納部１８（１８ａ）は、ペン１４を挿入して収納する収納穴３２と、収納穴３２の側部から該収納穴３２に挿入されたペン１４に向かって進退可能に設けられると共に、ペン１４が収納穴３２の所定位置まで挿入されていない状態ではペン１４の側面から離間した位置に配置される通電端子３１と、ペン１４が収納穴３２の所定位置より奥まで挿入された場合に、通電端子３１をペン１４の側面に向かって移動させて端子３０に接続させるリンク機構３４（６０）とを備える。
【００８０】
従って、収納構造１０（１０Ａ）では、ペン１４が収納穴３２の所定位置（図３及び図８に示す押圧開始位置）より奥まで挿入される前の状態では、通電端子３１が収納穴３２から退避してペン１４の側面から離間した位置に配置されているため、収納部１８（１８ａ）に挿入されるペン１４に通電端子３１が干渉しない。このため、ペン１４の側面に引っ掻き傷等が生じることがなく、また通電端子３１に継続的な摺動負荷が生じることもないため、ペン１４や通電端子３１の品質低下や破損を防止できる。しかも、ペン１４が収納穴３２の押圧開始位置より奥まで挿入されると、これと連動するリンク機構３４（６０）によって通電端子３１がペン１４の側面に向かって移動し、端子３０に接続される。このため、電子機器１２側からペン１４のバッテリ装置２８に対して通電端子３１及び端子３０を介して充電用の電力を確実に供給することができ、ペン１４の電池切れ状態を回避できる。
【００８１】
この場合、可動部材３８（６４）は、スライド部材３６（６２）に対して相対移動可能な状態で連結されており、収納穴３２を挿入方向に移動するペン１４及び該ペン１４に押圧されて移動するスライド部材３６（６２）と共に、ペン１４の挿入方向に沿って移動しながら該ペン１４の側面に向かって移動し、通電端子３１を端子３０に向かって移動させる構成となっている。つまり、ペン１４が収納穴３２の押圧開始位置より奥まで挿入される挿入動作と連動し、通電端子３１がペン１４の移動に追従するように挿入方向に移動しつつペン１４の側面に向かって進動し、最終的に図４及び図１０に示す収納位置で端子３０に接続される。これにより、挿入時に通電端子３１によってペン１４が擦れられることをより確実に防止することができる。しかも、ペン１４の収納部１８（１８ａ）からの抜去時には、ペン１４の抜去方向への移動に連動して通電端子３１も同方向へと移動しつつ、通電端子３１が端子３０から退避するため、抜去時に通電端子３１が端子３０に引っ掛かりペン１４が抜け難くなることもない。
【００８２】
なお、本発明は、上記した実施形態に限定されるものではなく、本発明の主旨を逸脱しない範囲で自由に変更できることは勿論である。
【００８３】
上記実施形態では、ペン型入力機器１４を電子機器１２の機器筐体１６に設けた収納部１８（１８ａ）に収納し、これを充電する構成を例示したが、ペン型入力機器１４以外の棒型電子機器、例えば棒状のバッテリ装置やメモリ装置等の拡張機器を機器筐体に設けた収納部に収納して通電端子を拡張機器側の端子に接続し、通電或いは情報の送受信を行う構成等としてもよい。
【符号の説明】
【００８４】
１０，１０Ａ  収納構造
１２  電子機器
１４  ペン
１６  機器筐体
１６ａ  ディスプレイ
１８，１８ａ  収納部
２０  入力部
２０ａ  ペン先
２２  軸部
２４  突起部
２８  バッテリ装置
３０  端子
３１  通電端子
３２  収納穴
３４，６０  リンク機構
３６，６２  スライド部材
３８，６４  可動部材
３９  基板
４０ａ〜４０ｅ  長孔
４０ｆ  回動軸
４２  制御ピン
４５  コイルばね
４９  メインバッテリ装置
５０  制御孔
５０ａ，５０ｂ  保持孔部
５０ｃ  傾斜孔部 
【図１】
2016126412.tif 000003
【図２】
2016126412.tif 000004
【図３】
2016126412.tif 000005
【図４】
2016126412.tif 000006
【図５】
2016126412.tif 000007
【図６】
2016126412.tif 000008
【図７】
2016126412.tif 000009
【図８】
2016126412.tif 000010
【図９】
2016126412.tif 000011
【図１０】
2016126412.tif 000012